(57)【特許請求の範囲】
【請求項１】
上下方向に所定の長さを有した分離装置本体が設けられ、該分離装置本体の上端に吸引駆動装置を有する駆動部本体が配設され、
該駆動部本体に吸引口部および該吸引口部に離間した排気口部が設けられるとともに、吸引口部と排気口部とを連通する連通路が形成され、
前記分離装置本体の内部に吸引口部から吸引された固体および流体を分離する分離手段が配設され、分離装置本体の下部に、流体を排出する排出口部が設けられ、
排気口部は駆動部本体の上面に開放されて排気を集中的に行うための集中排気口部と、駆動部本体の側面に開放されて排気を拡散させるための拡散用排気口部とから構成され、前記集中排気口部と拡散用排気口部の使用が選択可能に構成されていることを特徴とする分離装置。
【請求項２】
吸引口部は駆動部本体の上面に開放され、排出口部は分離装置本体の底壁に開放されていることを特徴とする請求項１記載の分離装置。
【請求項３】
分離装置本体の一部または全部が透明であることを特徴とする請求項１または請求項２記載の分離装置。
【請求項４】
分離手段は、分離装置本体の下部に設けられた分離フィルタであって、該分離フィルタは分離装置本体の下部に着脱自在に設けられていることを特徴とする請求項１ないし請求項３の何れかに記載の分離装置。
【請求項５】
吸引口部に接続される吸引ホースが着脱自在に設けられ、分離装置本体の下部に前記吸引ホースの途中部分を保持する保持部が設けられていることを特徴とする請求項１ないし請求項４の何れかに記載の分離装置。
【請求項６】
連通路に集塵可能なフィルタが設けられ、吸引口部と他の同様の構成の分離装置の排気口部とが連通連結可能に構成されていることを特徴とする請求項１記載の分離装置。
【請求項７】
吸引口部と他の同様の構成の分離装置の排出口部とが連通連結可能に構成されていることを特徴とする請求項４記載の分離装置。
【請求項８】
排気口部と他の同様の構成の分離装置の排出口部とが連通連結可能に構成されていることを特徴とする請求項４記載の分離装置。
【発明の詳細な説明】
【技術分野】
【０００１】
本発明は、吸引物を異なる比重、あるいは異なる種類ごとに分離可能な分離装置に関する。
【背景技術】
【０００２】
吸引物を比重ごとに分離可能な分離装置として、下記特許文献１に示す技術が提案されている。
これは、分離装置本体の内部に吸引駆動装置を有し、分離装置本体の上部に吸引口部と排気口部とを離間して配置し、分離装置本体の内部に吸引口部と排気口部とを連通する連通路を、吸引駆動装置に対して側方に回避するよう形成し、分離装置本体の内部に吸引口部から吸引された固体および流体を分離する分離手段を設け、分離手段の下方に吸引ファンを配置し、流体を排出するための排出口部を分離手段の下部から導出して分離装置本体の側部で開口するよう設けている。
【先行技術文献】
【特許文献】
【０００３】
【特許文献１】特表２００７―５０１０４６号公報
【発明の概要】
【発明が解決しようとする課題】
【０００４】
上記従来の分離装置では、流体を排出するための排出口部を分離手段の下部から導出して分離装置本体の側部で開口するよう設けている。このように、排出口部を分離装置本体の側部で開口するように構成すると、分離装置が横方向に大型化してしまう上に、流体と固体の分離を精度よく行うための高さが確保しにくくなり、流体と固体の分離が不確実になり易い。
【０００５】
そこで本発明は上記課題に鑑み、小型化を図り得るとともに吸引物の分離を精度よく行い得る分離装置の提供を目的とする。
【課題を解決するための手段】
【０００６】
本発明の分離装置は、上下方向に所定の長さを有した分離装置本体が設けられ、該分離装置本体の上端に吸引駆動装置を有する駆動部本体が配設され、該駆動部本体に吸引口部および該吸引口部に離間した排気口部が設けられるとともに、吸引口部と排気口部とを連通する連通路が形成され、前記分離装置本体の内部に吸引口部から吸引された固体および流体を分離する分離手段が配設され、分離装置本体の下部に、流体を排出する排出口部が設けられていることを特徴としている。
【０００７】
上記構成のように、分離装置本体の上端に駆動部本体を配置して駆動部本体に吸引駆動装置を設け、駆動部本体に吸引口部および該吸引口部に離間した排気口部を設け、分離装置本体の内部に固体および流体を分離する分離手段を配置して、分離装置本体の下部に流体を排出するための排出口部を設けることで、コンパクト化を図った上で、分離装置本体流体と固体を分離するための高さを確保することが可能になる。
【０００８】
本発明の分離装置では、吸引口部は駆動部本体の上面に開放され、排出口部は分離装置本体の底壁に開放されていることを特徴としている。
この構成によれば、吸引口部と排出口部との高低差を充分確保できるので、吸引物の分離の精度が向上する。
【０００９】
本発明の分離装置では、排気口部は駆動部本体の上面に開放されて排気を集中的に行うための集中排気口部と、駆動部本体の側面に開放されて排気を拡散させるための拡散用排気口部とから構成され、前記集中排気口部と拡散用排気口部の使用が選択可能に構成されていることを特徴としている。
この構成によれば、排気口部を、集中排気口部をして使用する場合と、拡散用排気口部として使用する場合とに切替えが行え、拡散用排気口部として使用する場合には排気が拡散されるから、静音化が図られる。
【００１０】
本発明の分離装置では、分離装置本体の一部または全部が透明であることを特徴としている。
上記構成によれば、分離装置本体内の吸引物の分離状態を目視により判断することが可能になる。
【００１１】
本発明の分離装置では、分離手段は、分離装置本体の下部に設けられた分離フィルタであって、該分離フィルタは分離装置本体の下部に着脱自在に設けられていることを特徴としている。
上記構成によれば、分離フィルタによって吸引物を分離可能であり、分離フィルタの使用時、不使用時を選択することが可能である。
【００１２】
本発明の分離装置では、吸引口部に接続される吸引ホースが着脱自在に設けられ、分離装置本体の下部に前記吸引ホースの途中部分を保持する保持部が設けられていることを特徴としている。
上記構成によれば、吸引ホースを把持して分離装置を移動させる際に、分離装置の移動時の重心を分離装置の下部として、分離装置の転倒が抑制される。
【００１３】
本発明の分離装置では、連通路に集塵可能なフィルタが設けられ、吸引口部と他の同様の構成の分離装置の排気口部とが連通連結可能に構成されていることを特徴としている。
上記構成によれば、複数個の吸引駆動装置の吸引力により複数の集塵可能なフィルタを通して吸気を清浄化して、排出することが可能になる。
【００１４】
本発明の分離装置では、吸引口部と他の同様の構成の分離装置の排出口部とが連通連結可能に構成されていることを特徴としている。
上記構成によれば、流体を吸引駆動装置の駆動力により分離フィルタを通過させて排出口部から排出させ、固定は分離フィルタで漉すことができる。
【００１５】
本発明の分離装置では、排気口部と他の同様の構成の分離装置の排出口部とが連通連結可能に構成されていることを特徴としている。
上記構成によれば、分離装置本体内の流体と固体の分離が、高い精度で行われる。
【発明の効果】
【００１６】
本発明の分離装置によれば、分離装置本体の上端に駆動部本体を配置して駆動部本体に吸引駆動装置を設け、駆動部本体に吸引口部および該吸引口部に離間した排気口部を設け、分離装置本体の内部に固体および流体を分離する分離手段を配置して、分離装置本体の下部に流体を排出するための排出口部を設けることで、コンパクト化を図った上で、分離装置本体流体と固体を分離するための高さを確保することが可能になり、比重の異なる流体どうしあるいは比重の異なる流体と固体の分離精度を向上させることができる。
【図面の簡単な説明】
【００１７】
【図１】本発明の実施形態を示す分離装置の全体構成を示す外観斜視図
【図２】同じく正面図
【図３】同じく側面図
【図４】同じく内部の一部を透視した全体概略斜視図
【図５】同じく分解斜視図
【図６】同じく分解側面図
【図７】同じく分離装置本体の断面図
【図８】同じく分離装置本体の斜視図および分離フィルタの斜視図
【図９】同じく分離装置の使用状態の一例を示す側面図
【図１０】同じく切替手段の構成を示す断面図で、（ａ）はスクイージ形態での使用図、（ｂ）は別の使用状態での切替手段の断面図
【図１１】同じく分離装置の全体断面図
【図１２】同じく駆動部本体（吸引駆動部）の平面図
【図１３】同じく内部構造を示した駆動部本体の断面図
【図１４】同じく内部構造を示した駆動部本体の断面図
【図１５】同じく駆動部本体および閉塞装置の下方からの斜視図
【図１６】同じく集塵フィルタの単体斜視図
【図１７】同じく閉塞装置および集塵フィルタの上方からの斜視図
【図１８】同じく分離装置の使用例を示す側面図
【図１９】同じく分離装置の別の使用例を示す側面図
【図２０】同じく分離装置のさらに別の使用例を示す側面図
【発明を実施するための形態】
【００１８】
以下、本発明の実施形態に係る分離装置を図面に基づいて説明する。
図１は分離装置の全体構成を示す外観斜視図、図２は正面図、図３は側面図、図４は内部の一部を透視した全体概略斜視図、図５は分解斜視図、図６は分解側面図、図７は分離装置本体の断面図、図８は分離装置本体の斜視図および分離フィルタの斜視図、図９は分離装置の使用状態の一例を示す側面図である。
図１０は切替手段の構成を示す断面図、図１１は分離装置の全体断面図、図１２は駆動部本体（吸引駆動部）の平面図、図１３および図１４は内部構造を示した駆動部本体の断面図、図１５は駆動部本体および閉塞装置の下方からの斜視図、図１６は集塵フィルタの単体斜視図、図１７は閉塞装置および集塵フィルタの上方からの斜視図である。
これらの図に示すように、分離装置１は、分離装置本体２と、架台装置３と、駆動部本体４とから構成されている。この分離装置１は、吸引物をその比重差により分離するものである。
【００１９】
ここで、分離装置本体２について説明する。
分離装置本体２は、透明な合成樹脂からなる円筒状の本体側壁５と本体底壁６を有し、上端部を開口部７として上下方向に所定の長さに設定されている。本体側壁５は下方ほど小径になるテーパー形状に形成されている。このテーパー面の傾斜角度は抜型に必要な角度であり、分離装置本体２の上下方向軸心に対して、例えば０．５〜１．５°に形成されている。
【００２０】
本体側壁５と本体底壁６の連続部分は面取りが施されており、本体底壁６には下方に突出する袴部９が形成され、袴部９の内面に周方向に等間隔に配置されたリブ８が袴部９および本体底壁６に一体的に形成されている。このような袴部９を有することにより、分離装置本体２は単独で自立できるよう構成されている。
【００２１】
分離装置本体２の下部、すなわち本体底壁６の中心には、排液口１０（排出口部に相当する）が形成されている。排液口１０の外周部には、円筒状に下方に延長された延長部１１が一体的に形成されており、延長部１１の内周面にはナット部材１２が装着されている。ナット部材１２に螺合する形態で分離フィルタ１３の心筒１４の下端部が着脱自在に螺合されている。すなわち、心筒１４の下部が排液口１０に挿入されている。
延長部１１を下方から被覆するように、排液ホースユニット１５の装着部材１６が本体底壁６の下面に装着されている。排液ホースユニット１５を構成するフレキシブル管である排液ホース１７の一端部が、心筒１４の下端部に連通接続されている。
【００２２】
排液ホース１７は、その長手方向途中が分離装置本体２の本体底壁６に沿って分離装置本体２の径方向外方に向けて延長され、袴部９の前部に形成された導出凹部１８から導出されている。排液ホース１７の他端部は、分離装置本体２の本体側壁５の外面に設けた保持具２０に着脱自在に保持されている。
排液ホース１７の他端部は、心筒１４の上端部よりも高い位置で保持具２０に保持されるよう構成されている。なお、排液ホース１７の他端開口部を開閉するキャップ２１が該他端部開口部に着脱自在に設けられている。
【００２３】
心筒１４の筒側壁２２には、周方向に複数列で、上下方向に一定間隔で離間して配置した導通孔２３が形成されている。
心筒１４の上端外周には雄ネジ２４が形成され、この雄ネジ２４に着脱自在に螺合する押さえ部材２５が設けられている。全ての導通孔２３を範囲で心筒１４に、分離手段である蛇腹状の分離フィルタ１３が外装されている。
【００２４】
分離フィルタ１３は、分離装置本体２内に吸引された吸引物を液体と固体とで濾過分離するためのものである。分離フィルタ１３は、その上下端部が硬質合成樹脂製の挟持板２６，２６により挟持されており、下側の挟持板２６は本体底壁６の上面に当接し、上側の挟持板２６は押さえ部材２５によって下方に押さえられて、分離フィルタ１３が本体底壁６内に立設保持される。
【００２５】
このような構成から、押さえ部材２５の心筒１４への螺合を外せば挟持板２６，２６（分離フィルタ１３）を挟持するものがなくなるから、分離フィルタ１３は心筒１４に対して上方に向けて取外しが可能になる。
また、心筒１４はナット部材１２との螺合を外すことで、本体底壁６から取外すことができる構成となっている。
【００２６】
本体側壁５の開口部７の縁は、断面逆Ｕ字形に形成された係止縁２７とされ、この係止縁２７は、駆動部本体４に設けた後述の係止部材２８が係止可能に形成されている。
本体側壁５の後上部には、架台装置３に分離装置本体２を載置した際に分離装置本体２の立設姿勢を保持するためのフック３０が設けられている。
袴部９には後述の嵌合凸部５２Ａに上方から嵌合する下開放の嵌合凹部５２Ｂが、周方向に１８０°置きに形成されている。
本体側壁５の開口部７の外周面に、取扱用把手１９が周方向に１８０°置きに形成されている。
【００２７】
次に、架台装置３の構成を説明する。
架台装置３は、分離装置本体２を着脱自在に載置し得る構成を有している。架台装置３は、合成樹脂製の基台部３１と、基台部３１の裏面の前後に設けられた車輪３２，３３と、基台部３１の後寄りに立設された把手部材３４とを有する。
【００２８】
基台部３１は、前部上面に分離装置本体２の下部を内嵌支持できる円筒状の支持凹部３５を有する。
支持凹部３５の前一部に、分離装置本体２の下部を支持凹部３５に内嵌させた際に排液ホース１７の途中部分が挿入される切欠３６が形成されている。切欠３６は、排液ホース１７を保持具２０から取外して前方へ倒すときに排液ホース１７の途中部分が上方から挿入されて支持するためのものである。
基台部３１の上面前寄りに、吸引ホース３８（後述する）の途中部分を係止する保持部４０が設けられている。保持部４０は、切欠３６をその左右方向に渡って懸架するよう設けられ、吸引ホース３８の途中部分を係止して、吸引ホース３８を前方へ引くことで上方へ跳ね上がってしまうのを防止する。
保持部４０の両端部は、取付ビス３７によって基台部３１に着脱自在に取付けられている。
【００２９】
分離装置本体２と架台装置３とに、分離装置本体２を架台装置３に上方から装着する際に、正規位置に装着させ得る装着手段５２が設けられている。
この装着手段５２は、架台装置３側に設けられた嵌合凸部５２Ａと、分離装置本体２の袴部９（底部）に設けられて嵌合凸部５２Ａに上方から嵌合する下開放の嵌合凹部５２Ｂとから構成されている。嵌合凸部５２Ａは架台装置３側に、周方向に１８０°置きに配置され、嵌合凹部５２Ｂは分離装置本体２側に１８０°置きに配置されている。
分離装置本体２の外周面後部には、後述の立掛部材４５に上方から係止する左右一対のフック３０が形成されている。
【００３０】
把手部材３４は、左右両側の支柱部４２，４２と、支柱部４２，４２の上端部から両支柱部４２，４２に渡された把持部４３とから、正面視して門型形状に形成されている。基台部３１の後寄りには、支柱部４２，４２それぞれ下端部が上方から挿入して装着される装着凹部４４が形成されている。
【００３１】
把手部材３４の支柱部４２，４２の上寄りに、支柱部４２，４２どうしにアーチ状に渡した立掛部材４５が設けられている。
立掛部材４５の後面には、吸引ホース３８に接続するための延長ホース４６や、吸引ホース３８の先端に取付ける吸引ノズル４８のアタッチメントを備え付けておくための上係止片５０が左右方向に並べて形成されている。上係止片５０の下方で基台部３１の上面に下係止片５１が設けられている。
【００３２】
延長ホース４６の上部は上係止片５０に後方から嵌合し、延長ホース４６の下部は下係止片５１に後方から嵌合することで基台部３１に保持される。
フック３０は、それぞれ立掛部材４５の左右寄りに、上方から係止するように構成されている。
【００３３】
本発明の実施形態による分離装置１は、スクイージ（ＳＱＵＥＥＧＥ）タイプと称される分離装置１としての使用が可能である。スクイージタイプとは、使用者が吸引ホース３８を把持して分離装置１全体を移動させるのではなく、使用者が把手部材３４を把持して分離装置１全体を移動させる使用形態である。
【００３４】
このため図９に示すように、基台部３１の下部に、吸引ノズル４８（アタッチメント）を基台部３１の前側で保持できる保持手段４９が設けられている。
保持手段４９は、基台部３１の下部に取付アングル４９Ａを用いて取付けられて、前後方向に伸縮自在なリンク部材４９Ｂから構成されている。このリンク部材４９Ｂの先端に、吸引ノズル４８の所定の部分を把持する把持部材４８ａが設けられている。
【００３５】
スクイージ用の吸引ノズル４８Ａは、別の吸引ホース３９を接続可能に構成されている。吸引ノズル４８Ａには、別の吸引ホース３９を装着できる筒状の受口部５９が設けられている（図１０参照）。
吸引ノズル４８Ａには、別に使用しようとする吸引ホース３９の端部３９ａを挿込むと、吸引ノズル４８Ａの吸引経路が吸引ホース３９側に切替わる切替構造が設けられている。
この切替構造は、受口部５９の内部に摺動自在に設けられた切替筒部材５９Ａと、切替筒部材５９Ａを受口部５９から突出する方向（吸引ノズル４８Ａの吸引経路を開放する方向）に付勢するコイルバネＳとから構成されている。
切替筒部材５９Ａは一端部が開放され、他端部が閉じられ、胴部５９ａの一端部側に開口５９ｂが形成されている。コイルバネＳの付勢に抗して吸引ホース３９の端部３９ａを受口部５９に挿込むと、切替筒部材５９Ａが移動し、開口５９ｂが吸引ノズル４８Ａの吸引経路に開放されるとともに、吸引ノズル４８Ａの吸引経路がその途中で閉鎖されて吸引ホース３９側に切替わる。これによって吸引ホース３９の使用ができる。
【００３６】
次に、駆動部本体４の構成を説明する。
駆動部本体４は合成樹脂から形成され、本体天壁６０および環状の本体周壁６１を一体的に有して下部が開放された形状に形成されている。駆動部本体４の径は、分離装置本体２の径に実質的に一致している。駆動部本体４は、分離装置本体２に着脱自在に設けられる構成である。
【００３７】
駆動部本体４を、分離装置本体２に着脱自在とするための取付手段６２が設けられている。取付手段６２は、分離装置本体２に形成された前記係止縁２７と、駆動部本体４の本体周壁６１の下部に設けた前記係止部材２８とから構成されている。
係止部材２８は、その上部を本体周壁６１に回動自在に取付けられており、係止部材２８の係止片６３を係止縁２７に係止することで、駆動部本体４が分離装置本体２に取付けられ、係止部材２８の係止片６３を係止縁２７から離脱させることで、分離装置本体２から駆動部本体４を離脱させられる。
【００３８】
駆動部本体４は、その本体天壁６０の前寄りに吸引口部６４が設けられ、吸引口部６４に対して後方に離間した位置に集中排気口部６５が設けられている。
吸引口部６４は、本体天壁６０の前寄り位置に、上方に開放して形成された吸引口６６と、吸引口６６から下方（分離装置本体２内部）に向けて垂下するよう延長した連通路形成筒体６７とを有する。連通路形成筒体６７は、分離装置本体２の本体側壁５に沿うよう垂下されており、下端部が閉じられて筒壁６８（側壁）には、噴出孔７０が形成されている。
【００３９】
吸引口６６には、前記吸引ホース３８の端部が着脱自在に接続される。吸引ホース３８からは、吸引物である液体（水、油、それらの混合物）、固体（粉塵、粒状の樹脂やガラス等）を吸引することができる。吸引された吸引物は、連通路形成筒体６７の噴出孔７０から分離装置本体２内に噴出される。
吸引ホース３８は、その先端部に吸引ノズル４８を着脱自在に設けられるようになっている。また延長ホース４６を着脱することで、長さの調節ができるようになっている。
【００４０】
駆動部本体４には、吸引駆動装置である吸引ファンモータ７１が、躯体７２に外装された状態で装着されている。躯体７２のうち、吸引ファンモータ７１の下側に対向する部分は開口されて、吸気口７３が形成されている。躯体７２のうち、集中排気口部６５に対応する部分は開口７４とされている。
吸引物は、吸引ファンモータ７１が駆動しファンが回転することにより、吸引ホース３８の先端口部から吸引される。
【００４１】
吸引ファンモータ７１の下方には、案内筒体７５に上下方向に案内されるよう構成された閉塞装置７６が設けられている。閉塞装置７６は、分離装置本体２内に吸引された液体が所定量になると、吸気口７３を閉塞するよう構成されている。
閉塞装置７６は、液体上面の上昇に伴って上昇するフロート部材７８と、フロート部材７８に対して上側に配置されて吸気口７３を閉塞する閉塞部材８０と、フロート部材７８と閉塞部材８０とを一体的に連結する案内杆部材８１とから構成されている。
【００４２】
フロート部材７８は、発泡樹脂から偏平な円柱状に形成され、軽量化のために上下方向に貫通する複数の孔７７が形成されている。閉塞部材８０は肉薄の板状に形成されている。
案内杆部材８１は小径の杆状に形成されて、上下方向に沿うよう配置されている。
フロート部材７８は案内杆部材８１の下端部に固定され、閉塞部材８０は案内杆部材８１の上端部に固定され、案内杆部材８１は、フロート部材７８および閉塞部材８０のそれぞれの径方向中心に直交するよう挿通している。
特に、閉塞部材８０は吸気口７３を確実に密閉し得るような材料で形成することが好ましい。またフロート部材７８は、できるだけ浮力の大きな材料で構成することが好ましい。
【００４３】
閉塞装置７６は、案内杆部材８１の昇降を案内するための案内部材８２を有する。案内部材８２は、平面視して十字形状に形成されており、その径方向中心に案内杆部材８１が容易に摺動し得る案内孔８３が形成されている。案内部材８２の外端部は、案内筒体７５の内面に固定されている。
案内筒体７５は上側が開放され、開放縁部には躯体７２に対して下方から着脱自在に係止する係止爪７５ａが周方向等間隔置きに複数形成されている。この係止爪７５ａは躯体７２の所定の部位に上下方向で係止するよう構成されている。
【００４４】
案内筒体７５の底壁７９には多数の侵入孔７９ａが形成されている。案内筒体７５には、集塵可能なフィルタ（以下「集塵フィルタ」と称する）８４が、案内筒体７５の胴部を外装するよう着脱自在に設けられている。
このように構成されていることで、分離装置本体２内部の液体が案内筒体７５内に侵入できるよう構成されている。
【００４５】
集中排気口部６５は上方に開放して形成された排気口８５と、排気口８５内に摺動自在に設けられた切替管８６とから構成される。
切替管８６は上部を開放するとともに、胴部８７の下部に、排気口８５に向けて排気を取込む取込口８８が形成されている。
切替管８６は、コイルバネ９０（図１１参照）によって上方に付勢されており、下方に押圧されていない状態では排気口８５の上部にあって、取込口８８は排気口８５の周壁面によって閉鎖されている。
【００４６】
排気口８５に濾過用（脱臭やウイルス除去）のフィルタ装置９１を、コイルバネ９０の弾性に抗して挿入すると、切替管８６は下方に移動して、取込口８８が開放され、排気が取込口８８から取込まれて排気口８５から排気が集中的に行われるよう構成されている。
この場合の吸引口６６と排気口８５とを連通する連通路は、連通路形成筒体６７と、案内筒体７５と、躯体７２に形成された吸気口７３と、切替管８６とによって構成されている。
【００４７】
フィルタ装置９１を用いない場合では、排気口８５から排気は行われず、駆動部本体４の本体周壁６１に形成されて排気を拡散させる拡散用排気口部６１ａから排気されるよう、集中排気口部６５と拡散用排気口部６１ａの使用が選択可能に構成されている。
【００４８】
この場合の吸引口６６と拡散用排気口部６１ａとを連通する連通路は、連通路形成筒体６７と、案内筒体７５と、躯体７２に形成された吸気口７３とによって構成されている。
何れにしても、連通路の構成として躯体７２に形成された吸気口７３を有しており、この吸気口７３が閉塞部材８０によって下方から閉塞されることにより、吸引ファンモータ７１の駆動が停止されるよう構成されている。
【００４９】
上記構成の分離装置１の使用方法を説明する。
まず、分離装置本体２に分離フィルタ１３を装着するには、図７に示すように、心筒１４の雄ネジ２４をナット部材１２に螺合して本体底壁６に取付ける。この心筒１４に分離フィルタ１３を上方から外嵌するようにして装着し、心筒１４の上端に形成した雄ネジ２４に押さえ部材２５を螺合し、分離フィルタ１３を本体底壁６と押さえ部材２５とで挟持することで分離フィルタ１３を分離装置本体２に容易に装着することができる。
排液ホースユニット１５は、その装着部材１６を本体底壁６の下面に装着することで、排液ホース１７ごと分離装置本体２に装着することができる。
【００５０】
分離装置本体２を架台装置３に装着するには、装着手段５２を利用して行う。すなわち、分離装置本体２側の嵌合凹部５２Ｂが架台装置３側の嵌合凸部５２Ａに上方から嵌合させるように分離装置本体２を架台装置３に装着する。このようにすることにより、分離装置本体２は架台装置３に対して正規位置（架台装置３に対して分離装置本体２をその定められた周方向位置）にのみ装着することができる。
また、嵌合凹部５２Ｂが嵌合凸部５２Ａに嵌合することで分離装置本体２の前後方向の倒れが規制される。そして、フック３０が立掛部材４５に上方から係止すれば、分離装置本体２を架台装置３に対して極めて安定させた状態で保持することができる。
【００５１】
駆動部本体４を分離装置本体２に装着するには、駆動部本体４を分離装置本体２に載置して、係止部材２８回動してその係止片６３を分離装置本体２の係止縁２７に係止することで固定する。
吸引ホース３８はその端部を吸引口６６に挿込むことで装着することができる。分離装置１を使用する環境に応じて、吸引ホース３８に延長ホース４６を適宜装着する。延長ホース４６を使用する場合は、これを上係止片５０、下係止片５１から取外すようにして用いる。
【００５２】
このように、分離装置本体２に駆動部本体４を装着し、架台装置３に分離装置本体２を装着した状態として、吸引ファンモータ７１を駆動し、使用者は吸引ホース３８を把持してこれを動かすことで、例えば床面に落ちている粉塵等の固体が吸引ホース３８に取付けた吸引ノズル４８から吸引口部６４へ向けて吸引され、連通路形成筒体６７に至って、噴出孔７０から分離装置本体２内へ吸引される。
【００５３】
吸引ホース３８を把持して分離装置１を移動させるとき、吸引ホース３８はその途中部分を、分離装置１の下側（架台装置３側）の保持部４０によって保持させることにより、分離装置１を移動させる際にその下部が引かれるから、分離装置１が転倒したり不安定な挙動をおこしたりすることを抑制して、円滑に移動させることができる。
【００５４】
分離装置本体２内へ固体が吸引されるとき、分離装置本体２内へ吸気がなされることになる。そうなると吸引された吸引空気ＡＲが本体側壁５の内側を本体側壁５に沿って回転してサイクロンが発生する。
フィルタ装置９１を排気口８５に接続してあれば、切替管８６の取込口８８が開放されているから、吸引空気ＡＲは集塵フィルタ８４を通過し、連通路（集塵フィルタ８４と案内筒体７５の間の隙間、係止爪７５ａどうしの間、躯体７２の吸気口７３）を通って集中排気口部６５（排気口８５）から排気される。
【００５５】
フィルタ装置９１を排気口８５に接続してなければ、切替管８６の取込口８８が閉鎖されているから、吸引空気ＡＲは集塵フィルタ８４を通過し連通路（集塵フィルタ８４と案内筒体７５の間の隙間、係止爪７５ａどうしの間、躯体７２の吸気口７３）を通って、拡散用排気口部６１ａから外部へ排気される。
そして、分離装置本体２内で発生したサイクロンにより、比重の重い固定は下方へ落下する傾向となり、比重の軽い固体は集塵フィルタ８４に捕獲される傾向になる。
【００５６】
この実施形態における分離装置１では、吸引口６６を駆動部本体４に形成し、排気口８５を分離装置本体２に形成せず、吸引口６６と同様に駆動部本体４に設けている。このため，分離装置１のコンパクト化を図ることができる。
しかも、排気口８５を分離装置本体２に形成していないから、上下方向を長手方向として所定の長さを有した分離装置本体２内のほとんどを、分離用空間として使用することができる。
このため、吸引物の比重差による分離方式を用いたこの分離装置１においては、比重の異なる吸引物どうしの分離を、高い精度で行うことができる。また、分離装置本体２は透明であるから、内部の分離状態を目視確認することができる。
【００５７】
吸引ノズル４８から液体を吸引すると、液体は分離装置本体２内の底から溜まる。また固体が液体に混合した場合、比重の軽い固体は上方に移動し、比重の重い固体は下方に移動する。
そしてこの分離装置１では、上下方向を長手方向として所定の長さを有した分離装置本体２内のほとんどを、分離用空間として使用することができるから、吸引物の比重差による分離方式を用いたこの分離装置１においては、吸引物の分離を高い精度で行うことができる。
【００５８】
吸引した液体を廃棄する場合、排液ホース１７の先端部を保持具２０から外し、排液ホース１７の先端部を少なくとも液面よりも下方に位置させる。そうすると、排液ホース１７の先端部と液面との高低差により、液体が分離フィルタ１３および心筒１４を通過して排液される。
【００５９】
この実施形態に係る分離装置１では、排液口１０は、分離装置本体２の最も下位である本体底壁６の中心に配置している。このため、分離装置本体２内の液体のほとんどを確実に排液することができる。
例えば吸引した液体が水と油の混合物であれば、予め分離フィルタ１３を水と油とを分離するものを選択しておくことで、分離装置本体２内において高い精度で水と油を分離してある状態で、油あるいは油と固体を分離フィルタ１３で捕獲して、水を排水することができる。
【００６０】
排液を行う場合には、分離装置本体２を架台装置３から取外して行うようにしてもよい。この場合、分離装置本体２を架台装置３に対して上方に持上げることで、フック３０を立掛部材４５から外すようにし、さらに持上げることで分離装置本体２の嵌合凹部５２Ｂが架台装置３の嵌合凸部５２Ａから外れて、分離装置本体２を架台装置３から極めて容易に取外すことができる。
【００６１】
床面にある吸引物を吸引する際に、吸引ホース３８の先端の吸引ノズル４８をスクイージ用のアタッチメントに交換して、その吸引ノズル４８を保持手段４９の把持部材４８ａに装着するようにし、使用者は把手部材３４を押し引きして分離装置１を架台装置３ごと移動することで、スクイージタイプの分離装置１として使用することができる。
【００６２】
ところで、液体を吸引してこれが分離装置本体２内で上昇し、案内筒体７５の底壁７９の侵入孔７９ａから案内筒体７５内に侵入してフロート部材７８に至り、さらに増えるとフロート部材７８が上昇し始める。フロート部材７８には閉塞部材８０が案内杆部材８１を介して一体的に設けられているから、フロート部材７８が上昇した分だけ閉塞部材８０も上昇をする。
そして閉塞装置７６として、上昇する（昇降する）部分をフロート部材７８と閉塞部材８０とに二分して一体物としていない分だけ上昇する部分が軽量化されている。このため、良好な感度でフロート部材７８を上昇させることができる。
【００６３】
特に、液体の表面に泡が発生している場合では、泡によるフロート部材７８への浮力と実際の液面によるフロート部材７８への浮力とでは、泡による浮力の方が小さいから、フロート部材７８が上昇しにくい。
しかしながら閉塞装置７６として、上昇する部分をフロート部材７８と閉塞部材８０とに二分して、フロート部材７８に案内杆部材８１を介して閉塞部材８０を連結することで、閉塞部材８０を吸気口７３の近傍に配置している。この構成により、このため、フロート部材７８が泡から浮力を受けたとしても、大きなフロート部材の場合に比べて良好な感度でフロート部材７８を上昇させることができる。
そして、フロート部材７８の上昇に伴って、閉塞部材８０が案内杆部材８１を介して案内部材８２によって上昇するよう案内され、閉塞部材８０によって連通路の途中にある吸気口７３が閉塞される。そうなると、吸引ファンモータ７１が停止し、それ以上吸引できなくなる。
【００６４】
このようにして、泡や吸引した液体が吸引ファンモータ７１側へ侵入するのを確実に防止して、吸引駆動部を確実に保護することができる。
また、閉塞装置７６は、集塵フィルタ８４で保護されているから、塵芥が閉塞装置７６へ付着するのを防止でき、フロート部材７８の上昇あるいは昇降を円滑に行うことができる。
【００６５】
本発明の分離装置１は、種々の使用方法が可能である。架台装置３に分離装置本体２を載置し、分離装置本体２に駆動部本体４を取付けた状態（分離装置ユニットと称する）Ｕ１，Ｕ２として、種々の使用方法が可能である。これら使用方法を図面に基づいて説明する。
【００６６】
まず図１８に示す使用例を説明する。
これは、一方の分離装置ユニットＵ１の排気口８５と、他方の分離装置ユニットＵ２の吸引口６６とを接続ホース９２で接続した構成である。
このように構成することにより、双方の分離装置ユニットＵ１，Ｕ２の吸引ファンモータ７１で吸気できるようになるから、高揚程が実現でき吸引物（固体）は双方の分離装置ユニットＵ１，Ｕ２で分離されるから、比重の異なる吸引物どうしをより高精度に分離が可能になる。
【００６７】
次に、図１９に示す使用例を説明する。
これは、一方の分離装置ユニットＵ１の排液口１０（図７、図１１参照）と他方の分離装置ユニットＵ２の吸引口６６とを接続ホース９３で接続した構成である。
このように構成することにより、一方の分離装置ユニットＵ１において分離フィルタ１３によってろ過された液体を他方の分離装置ユニットＵ２の分離フィルタ１３によって再度ろ過することができるので、比重の異なる液体どうしを高精度に分離することができる。
【００６８】
次に、図２０に示す使用例を説明する。
これは、一方の分離装置ユニットＵ１の排液口１０（図７、図１１参照）と他方の分離装置ユニットＵ２の排気口８５とを接続ホース９４で接続した構成である。
このように構成することにより、排気口８５からの排気が接続ホース９４を介して排液口１０から一方の分離装置ユニットＵ１の分離装置本体２内に供給される。この場合、一方の分離装置ユニットＵ１の分離装置本体２の分離フィルタ１３へは、その内側から排気が供給されるから、一方の分離装置ユニットＵ１の分離装置本体２内に液体が吸引されていれば、液体内に気泡を発生されることができる。そうすると、この気泡によって液体内の固体が攪拌され、特に、比重の異なる固体どうしをいっそう精度よく分離することができる。
【００６９】
なお、図１８ないし図２０に示す使用のために、排液ホース１７と吸引ホース３８とを互いに接続可能な構成としておくことが好ましい。
また、図１８ないし図２０に示した例では、分離装置ユニットＵ１，Ｕ２は二個設けてこれらを接続して使用する場合で説明した。
しかしながら、本発明は二個の分離装置ユニットＵ１，Ｕ２を接続する場合に限らず、三個あるいはそれ以上の分離装置ユニットを接続することも可能である。このようにすることにより、比重の異なる吸引物どうしを、いっそう精度よく吸引物を分離することができる。
【００７０】
本発明の実施形態に係る分離装置１は、吸引ファンモータ７１を備えた駆動部本体４を、分離装置本体２から取外して使用することが可能である。この場合、例えば分離装置本体２の代わりにペール缶を用い、ペール缶に駆動部本体４を載置して、ペール缶ごとに異なる吸引物を吸引するようにしてもよい。
【００７１】
分離装置１の使用方法として、市販のビニール袋を準備して、分離装置本体２内にビニール袋の開口部分を上にして挿入し、該開口部分を、分離装置本体２の係止縁２７を外側へ向けて覆うようにし、駆動部本体４の連通路形成筒体６７をビニール袋内に挿入するようにして、分離装置本体２に駆動部本体４を装着することが考えられる。
このようにして吸引ファンモータ７１を駆動することにより、ビニール袋内に吸引物が収納される。
【符号の説明】
【００７２】
１…分離装置、２…分離装置本体、３…架台装置、４…駆動部本体、５…本体側壁、６…本体底壁、７…開口部、９…袴部、１０…排液口、１１…延長部、１３…分離フィルタ、１４…心筒、１６…装着部材、１７…排液ホース、１８…導出凹部、１９…取扱用把手、２２…筒側壁、２３…導通孔、２５…押さえ部材、２７…係止縁、２８…係止部材、２９…吸引ホース、３０…フック、３１…基台部、３４…把手部材、３５…支持凹部、３６…切欠、３８…吸引ホース、４０…保持部、４２…支柱部、４３…把持部、４４…装着凹部、４５…立掛部材、４６…延長ホース、４８…吸引ノズル、４８ａ…把持部材、４９…保持手段、５２…装着手段、５２Ａ…嵌合凸部、５２Ｂ…嵌合凹部、６０…本体天壁、６１…本体周壁、６１ａ…拡散用排気口部、６２…取付手段、６３…係止片、６４…吸引口部、６５…集中排気口部、６６…吸引口、６７…連通路形成筒体、６８…筒壁、７０…噴出孔、７１…吸引ファンモータ、７２…躯体、７３…吸気口、７４…開口、７５…案内筒体、７６…閉塞装置、７７…孔、７８…フロート部材、７９…底壁、７９ａ…侵入孔、８０…閉塞部材、８１…案内杆部材、８２…案内部材、８３…案内孔、８４…集塵フィルタ、８５…排気口、８６…切替管、８７…胴部、８８…取込口、９１…フィルタ装置、ＡＲ…吸引空気
【図１】
0005396200.tif 000002
【図２】
0005396200.tif 000003
【図３】
0005396200.tif 000004
【図４】
0005396200.tif 000005
【図５】
0005396200.tif 000006
【図６】
0005396200.tif 000007
【図７】
0005396200.tif 000008
【図８】
0005396200.tif 000009
【図９】
0005396200.tif 000010
【図１０】
0005396200.tif 000011
【図１１】
0005396200.tif 000012
【図１２】
0005396200.tif 000013
【図１３】
0005396200.tif 000014
【図１４】
0005396200.tif 000015
【図１５】
0005396200.tif 000016
【図１６】
0005396200.tif 000017
【図１７】
0005396200.tif 000018
【図１８】
0005396200.tif 000019
【図１９】
0005396200.tif 000020
【図２０】
0005396200.tif 000021